(57)【要約】【課題】【解決手段】中央に開口部が形成された座板および座板の周縁に垂設された周壁からなる座部と、座板の開口部の周縁に配置され、便座受け５１に便座本体５２が回動自在に軸支されてなる便座５と、座部に設けられた背当ておよび肘掛けと、座部の座板に回動自在に連結されたシートと、を備えたポータブルトイレにおいて、便座５の便座本体５２にストッパ５３を設ける一方、ストッパ５３に対応して便座受け５１に接触部材５４を設け、便座本体５２の回動時、ストッパ５３と接触部材５４との接触摩擦により、便座本体５２を、設定回動角度以上の任意の回動位置に保持する。【選択図】図３
2005137500.tif 000002
【特許請求の範囲】
【請求項１】
中央に開口部が形成された座板および座板の周縁に垂設された周壁からなる座部と、座板の開口部の周縁に配置され、便座受けに便座本体が回動自在に軸支されてなる便座と、座部に設けられた背当ておよび肘掛けと、座部の座板に回動自在に連結されたシートと、を備えたポータブルトイレにおいて、便座の便座本体にストッパが設けられ、便座本体の回動時、ストッパと便座受けとの直接または間接的な接触摩擦により、便座本体が設定回動角度以上の任意の回動位置に保持されることを特徴とするポータブルトイレ。
【発明の詳細な説明】
【技術分野】
【０００１】
本発明は、ポータブルトイレに関するものである。
【背景技術】
【０００２】
一般に、トイレ室での用便が困難な場合には、ポータブルトイレが使用される。このようなポータブルトイレは、中央に開口部が形成された座板および座板の周縁に垂設された周壁からなる座部が合成樹脂によって一体に成形されて、持ち運びできるように構成され、座板の開口部を通して内部に挿入された汚物ポットを座板の開口部の周縁に支持できるにしている。
【０００３】
このようなポータブルトイレにおいても、腰掛け動作や立ち上がり動作の負担を軽減したり、あるいは、背中を支持する必要性から、肘掛けや背当てが設けられることが好ましい。このため、座部の座板に肘掛けや背当てを設け、用便時以外には、椅子としても使用可能な家具調ポータブルトイレが提供されている（例えば、特許文献１参照）。
【特許文献１】実用新案登録第２５４７４７９号公報
【発明の開示】
【発明が解決しようとする課題】
【０００４】
ところで、前述した家具調ポータブルトイレは、全体的に大きくなりやすく、取り扱い性に難があるため、よりコンパクトに形成する試みがなされている。この際、背当てを前方に移動して奥行きを小さくしようとすると、便座を回動するとき、便座が９０度未満の回動角度で背当てに干渉する場合が発生する。このように、便座が９０度未満の回動角度で背当てに干渉する場合、手を離せば、便座は自重で元の位置に落下することから、汚物ポットの取り出し時やセット時に、便座が落下しないように保持する必要があり、作業が煩雑となる。
【０００５】
本発明は、このような問題点に鑑みてなされたもので、簡単な構造で便座本体を設定回動角度以上の任意の回動位置に保持することができるポータブルトイレを提供するものである。
【課題を解決するための手段】
【０００６】
本発明は、中央に開口部が形成された座板および座板の周縁に垂設された周壁からなる座部と、座板の開口部の周縁に配置され、便座受けに便座本体が回動自在に軸支されてなる便座と、座部に設けられた背当ておよび肘掛けと、座部の座板に回動自在に連結されたシートと、を備えたポータブルトイレにおいて、便座の便座本体にストッパが設けられ、便座本体の回動時、ストッパと便座受けとの直接または間接的な接触摩擦により、便座本体が設定回動角度以上の任意の回動位置に保持されることを特徴とするものである。
【０００７】
本発明によれば、便座本体を便座受けに対して回動するとき、便座本体に設けたストッパが便座受けに直接または間接的に接触し、便座本体の自重による回転モーメントと、ストッパと便座受けとの接触摩擦による回転モーメントが釣り合った設定回動角度以上に回動させれば、便座本体は落下することなく保持される。
【０００８】
この結果、便座本体を設定回動角度以上に回動させれば、任意の回動位置に保持することができる。このため、汚物ポットの取り出し時やセット時に、便座本体を落下しないように保持する必要がなくなり、作業を両手で軽快に行うことができる。また、作業が終了すれば、ストッパと便座受けとの摩擦力に抗して便座本体を強制的に押し下げることによ
り、便座受けに収容することができる。
【０００９】
ここで、ストッパとしては、個別に成形して既存の便座本体に設けることもできるし、便座本体の成形時に一体に成形することもできる。
【００１０】
便座本体が落下することなく保持される回動角度としては、汚物ポットの大きさにもよるが、汚物ポットの取り出しやセットに際して、汚物ポットと干渉しないような大きさであればよく、特に限定されない。
【００１１】
また、ストッパを便座受けと直接接触させてもよいし、便座受けに、薄板によって変形し易い断面形状に形成された接触部材を設け、接触部材と接触させるようにしてもよい。この場合、便座本体の重量増加に対応してストッパの接触摩擦力を大きくするには、例えば、ストッパの接触面積を大きくしたり、それらの表面にエンボス加工などを施して摩擦係数を大きくすることなどが考えられる。
【００１２】
さらに、便座本体を押し下げる際、便座本体が便座受けに対して急激に衝突しないように、ダンパーを設けることが好ましい。ダンパーを設ける場合は、一方側にストッパを、他方側にダンパーを設ければよい。
【発明の効果】
【００１３】
本発明によれば、便座本体にストッパを設けるだけの簡単な構成により、便座本体を設定回動角度以上の任意の回動位置に保持することができる。
【発明を実施するための最良の形態】
【００１４】
以下、本発明の実施の形態を図面を参照して説明する。
【００１５】
図１には、本発明のポータブルトイレ１の一実施形態が示されている。
【００１６】
このポータブルトイレ１は、開口部が形成された座板２１および座板２１の周縁に垂設された周壁２２を有する座部２と、座部２の周壁２２に設けられた背当て３および肘掛け４と、からなり、主に木材によって家具調に形成されている。
【００１７】
ここで、座部２における座板２１の開口部の周縁には、便座５（図２参照）が配置される一方、座板２１には、その開口部および便座５を覆ってシート６が回動自在に連結されている。そして、便座５の周縁には、図示しない汚物ポットが支持されるようになっており、また、シート６を引き出すことにより、シート６が座板２１上に敷設されて便座５および汚物ポットを覆うことができ、腰を下ろすことが可能となる。
【００１８】
背当て３は、左右の框３１および該左右の框３１の上端部間に掛け渡された笠木３２から形成され、また、肘掛け４は、支柱４１および該支柱４１の上端に前端部が固定された肘掛け本体４２から形成され、各肘掛け本体４２の後端が背当て３の框３１に固定されている。
【００１９】
便座５は、図２および図３に詳細に示すように、座板２１の開口部の周縁に沿って設置される便座受け５１と、該便座受け５１の後端部に回動自在に軸支された便座本体５２と、からなり、便座受け５１には、ピン５１１が内方に向けて突設され、一方、便座本体５２には、ピン５１１の挿通穴５２１ａを形成した箱状の軸支部５２１が設けられている。そして、便座受け５１のピン５１１を、便座本体５２の軸支部５２１の挿通穴５２１ａに挿通することにより、便座受け５１のピン５１１回りに便座本体５２を回動させることができる。
【００２０】
また、便座本体５２の軸支部５２１には、挿通穴５２１ａの近傍に位置して、ピン５１１の嵌合穴５３ａを形成した略Ｐ字状の樹脂製ストッパ５３（図４参照）が設けられており、一方、便座受け５１には、ストッパ５３に対応して樹脂製の接触部材５４が設けられている。ここで、ストッパ５３の材質としては、便座本体５２の材質と同一であることが特に好ましい。具体的には、便座本体５２がポリプロピレンから成形されていることに対応して、ストッパ５３もポリプロピレンから成形されている。同様に、接触部材５４の材質も、ストッパ５３に対応して、ポリプロピレンから成形されている。
【００２１】
このストッパ５３の嵌合穴５３ａの中心からの自由端までの長さは、ピン５１１の中心から便座受け５１に設けられた接触部材５４の表面までの長さよりも若干大きく設定されており、便座本体５２を便座受け５１のピン５１１回りに回動させた場合、ストッパ５３の自由端が接触部材５４に接触し、接触部材５４を強制的に弾性変形させるようになっている。すなわち、接触部材５４は、断面略Ｅ字状に形成されて便座受け５１に固定されており、ストッパ５３によって容易に弾性変形し易い板厚および形状に形成されている。
【００２２】
したがって、便座本体５２を回動させ、ストッパ５３が便座受け５１に設けた接触部材５４と接触することにより、便座本体５２の自重による回転モーメントと、ストッパ５３の、接触部材５４に対する接触摩擦による回転モーメントが釣り合った回動角度以上に回動すれば、便座本体５２は落下することなく保持される。この結果、汚物ポットの取り出し時やセット時に、便座本体５２を落下しないように保持する必要がなくなり、作業を両手によって軽快に行うことができる。
【００２３】
汚物ポットの取り出し作業や、セットが終了すれば、ストッパ５３と接触部材５４との摩擦力に抗して便座本体５２を強制的に押し下げることにより、便座受け５１に収容することができる。
【００２４】
なお、本発明の実施形態においては、便座本体５２とは別個にストッパ５３を成形し、既存の便座本体５２にストッパ５３を設けた場合を例示したが、便座本体５２の成形時にストッパ５３を一体に成形してもよい。
【００２５】
また、便座受け５１とは別個に接触部材５４を成形し、既存の便座受け５１に設けた場合を例示したが、便座受け５１の成形時に接触部材５４をインサート成形などによって一体に成形してもよい。
【００２６】
さらに、便座受け５１に直接ストッパ５３を接触させるようにしてもよい。
【産業上の利用可能性】
【００２７】
以上説明したように、便座本体を設定回動角度以上の任意の回動位置に保持することができるため、ポータブルトイレにおいて、汚物ポットを取り出したり、セットしたりするときの作業性を改善することができる。
【図面の簡単な説明】
【００２８】
【図１】本発明のポータブルトイレを示す全体側面図である。
【図２】図１のポータブルトイレに設けられた便座を、便座受けに対して便座本体を立ち上げた状態で一部省略して示す分解正面図である。
【図３】図２に示した弁座受けに便座本体を組み付けた状態の便座の縦断面図である。
【図４】ストッパの斜視図である。
【符号の説明】
【００２９】
１  ポータブルトイレ
２  座部
３  背当て
４  肘掛け
５  便座
５１  便座受け
５１１  ピン
５２  便座本体
５２１  軸支部
５３  ストッパ
５４  接触部材
【図１】
2005137500.tif 000003
【図２】
2005137500.tif 000004
【図３】
2005137500.tif 000005
【図４】
2005137500.tif 000006